(57)【特許請求の範囲】
【請求項１】
シャープ芯引出用押えボタンが結合された円筒形の本体と、
前記本体の先端部に回転可能に結合され、内周面に第１螺旋溝が形成された回転取っ手と、
前記本体の内に挿入されてシャープ芯を内蔵する芯タンクと、
前記芯タンクの先端部を相対にスプリングにより弾性的に支持されるスリーブと、
前記スリーブに部分的に挿入されながら前記芯タンクの先端部に密着して前記押えボタンの押え操作に従う前記芯タンクの押圧時、前記スリーブに沿って直線移動し、シャープ芯供給通路を備えたスライダーと、
前記芯タンクから前記スライダーを通じて供給されたシャープ芯を挟持する挟持チャックと、
前記回転取っ手の内に挿入された状態で前記第１螺旋溝に挿入される第１突出部を備えて前記回転取っ手を正方向回転させれば、前記第１突出部が第１螺旋溝の後端部から先端部に移動することによって回転取っ手から引出され、前記回転取っ手を逆方向回転させれば、前記第１突出部が第１螺旋溝の先端部から後端部に移動することによって回転取っ手の内に引き込まれ、内周面には前記第１螺旋溝と同一方向の第２螺旋溝が形成された第１引出部材と、
前記第１引出部材の内に挿入された状態で前記第２螺旋溝に挿入される第２突出部を備えて、前記第１引出部材が最終位置に引出された状態で第１引出部材が前記回転取っ手と一緒に正回転する時、前記第２突出部が前記第２螺旋溝の後端部から先端部に移動することによって前記第１引出部材から引出され、前記第１引出部材が完全に引き込まれた状態で第１引出部材が前記回転取っ手と一緒に逆回転する時、前記第２突出部が前記第２螺旋溝の先端部から後端部に移動することによって前記第１引出部材に引き込まれる第２引出部材と、
前記第２引出部材の先端部に備えられて前記シャープ芯の先端を支持するチップと、
前記チップの内周面に備えられて前記シャープ芯を支持し、かつ前記回転取っ手の回転時、前記シャープ芯の媒介下に前記挟持チャック側に前記第１引出部材と第２引出部材を支持する弾性支持部材を含んでなることを特徴とする、シャープペンシル。
【請求項２】
前記チップは前記第２引出部材に対して着脱可能に内周面に雌ねじ山が形成された別物からなり、前記第２引出部材の先端部側には前記雌ねじ山と締結される雄ねじ山が形成されたチップ締結端が備えられたことを特徴とする、請求項１に記載のシャープペンシル。
【請求項３】
前記芯タンクの内周面には前記シャープ芯に加えられる衝撃を緩和する緩衝部材が備えられたことを特徴とする、請求項１に記載のシャープペンシル。
【発明の詳細な説明】
【技術分野】
【０００１】
本発明は筆記具の１つのシャープペンシル（メカニカルペンシル）に関し、特にシャープペンシルの先端に備えられるチップを安全に保護することができ、０．３ｍｍ、０．５ｍｍ、０．７ｍｍなど、多様な直径のシャープ芯を共通的に使用することができるように改善されたシャープペンシルに関する。
【背景技術】
【０００２】
‘シャープペンシル’と呼ばれるメカニカルペンシルは、挟持具であるチャック（ｃｈｕｃｋ）に装填された芯を機械的に作動する操作により少しずつ押し出して使えるようにした筆記道具であって、１８３８年米国のキーラン（Ｗｉｌｌｉａｍ  Ｌｅｅ  Ｋｅｅｒａｎ）により‘Ｅｖｅｒｓｈａｒｐ’という名前で商品化されたものがの嚆矢である。このシャープペンシルは、芯のみ補充してくれれば続けて使用することができるという経済性が立証されることによって、１９７０年代末から既存の鉛筆の代りに広く使われ始めて、その需要が持続的に増加している。
【０００３】
以下の先行技術文献の特許文献１に記載されたシャープペンシルから見ることができるように、既存の一般的なシャープペンシルは内部に多数個の芯が内蔵できるように空間が設けられた芯タンクを備えており、この芯タンクの先端部にコイルスプリングの弾性作用により往復作動しながらシャープ芯を押し出すチャックが装着された構成からなっている。このような従来のシャープペンシルは、使用途中、チップ部分に衝撃が加えられる場合、チップが曲がったり折れることが頻繁に発生している。
【０００４】
一方、従来の一般的なシャープペンシルは０．３ｍｍ、０．５ｍｍ、０．７ｍｍなど、１種類の直径の芯のみを使用することができる構造となっているので、細い文字または太い文字など、ユーザが希望する太さで筆記パターンを変更しようとする場合には、該当太さの直径の芯が装着されたシャープペンシルに変えて使用せざるをえない。このような短所を改善するために、下記の特許文献２のカップルシャープペンシルは１つの本体の内に複数個の芯タンクを内蔵すると共に、これら芯タンクに独立的に装着されるチャックを備え、各々のチャックには互いに異なる直径のシャープ芯が挟持されるようにした構造となっている。
【０００５】
このように、シャープペンシルは１９世紀に初めて開発された以来、機能面でさまざまな補完がなされており、学生は勿論、一般人らの間でも代表的な筆記道具として位置しているが、まだ改善の余地が多いということができる。
【先行技術文献】
【特許文献】
【０００６】
【特許文献１】大韓民国登録特許第１０−０４１９９６７号（特許権者：ホン  イン  キ、名称：シャープペンシル）
【特許文献２】大韓民国登録実用新案第２０−０３４５８５４号（実用新案権者：ピョ  ミョン  オク、名称：カップルシャープペンシル）
【発明の概要】
【発明が解決しようとする課題】
【０００７】
前述したように、従来のシャープペンシルは使用途中にチップ部分に外部から衝撃が加えられる場合、その衝撃によりチップが曲がったり折れることによって、シャープペンシルをこれ以上使用することができなくなる問題がある。
【０００８】
また、従来のシャープペンシルは１種類の直径の芯のみを使用することができる構造となっているので、細い文字または太い文字など、ユーザが希望する太さに筆記パターンを変更しようとする場合には、該当太さの直径の芯が装着されたシャープペンシルに変えて使用せざるをえないという問題がある。さらに、このような問題点を改善しようとする特許文献２のような技術の場合、構造的に複雑であるだけでなく、シャープ芯の太さ別に芯タンクとチャックとが別に備えられなければならないので、シャープペンシルの本体の厚さが厚くなる更に他の問題が発生するようになる。
【０００９】
本発明はこのような従来の問題点を改善するために開発されたものであって、その目的は、シャープペンシルの先端部に備えられたチップに外部から衝撃が加えられることによって、チップの変形や破損を防止することができるシャープペンシルを提供することにある。
【００１０】
本発明の他の目的は、多様な直径のシャープ芯を共通的に使用することができ、かつ構造とサイズの面で簡素化したシャープペンシルを提供することにある。
【課題を解決するための手段】
【００１１】
前記の目的を達成するための本発明のシャープペンシルは、シャープ芯引出し用押えボタンが結合された円筒形の本体と、この本体の先端部に回転可能に結合され、内周面に第１螺旋溝が形成された回転取っ手と、前記本体の内に挿入されてシャープ芯を内蔵する芯タンクと、この芯タンクの先端部を相対にスプリングにより弾性的に支持されるスリーブを構成要素として含んでいる。
【００１２】
また、本発明のシャープペンシルは、前記スリーブに部分的に挿入されながら芯タンクの先端部に密着して押えボタンの押え操作に従う芯タンクの押圧時、スリーブに沿って直線移動し、シャープ芯供給通路を備えたスライダーを構成要素として含んでいる。
【００１３】
また、本発明のシャープペンシルは、前記芯タンクからスライダーを通じて供給されたシャープ芯を挟持する挟持チャックを構成要素として含んでいる。
【００１４】
また、本発明のシャープペンシルは、前記回転取っ手の内に挿入された状態で第１螺旋溝に挿入される第１突出部を備えて回転取っ手を正方向回転させれば、第１突出部が第１螺旋溝の後端部から先端部まで移動するにつれて、回転取っ手から引出され、回転取っ手を逆方向回転させれば、第１突出部が第１螺旋溝の先端部から後端部に移動するにつれて回転取っ手の内に引き込まれ、内周面には第１螺旋溝と同一方向の第２螺旋溝が形成された第１引出部材を構成要素として含んでいる。
【００１５】
また、本発明のシャープペンシルは、前記第１引出部材の内に挿入された状態で第２螺旋溝に挿入される第２突出部を備えて、第１引出部材が最終位置に引出された状態で第１引出部材が回転取っ手と一緒に正回転する時、第２突出部が第２螺旋溝の後端部から先端部に移動するにつれて第１引出部材から引出され、第１引出部材が完全に引き込まれた状態で第１引出部材が回転取っ手と一緒に逆回転する時、第２突出部が第２螺旋溝の先端部から後端部まで移動するにつれて第１引出部材に引き込まれる第２引出部材を構成要素として含んでいる。
【００１６】
また、本発明のシャープペンシルは、前記第２引出部材の先端部に備えられてシャープ芯の先端を支持するチップを構成要素として含んでいる。
【００１７】
また、本発明のシャープペンシルは、前記チップの内周面に備えられてシャープ芯を支持し、かつ回転取っ手の回転時、シャープ芯の媒介下に挟持チャック側に第１引出部材と第２引出部材を支持する弾性支持部材を構成要素として含んでいる。
【００１８】
一方、本発明のシャープペンシルで、前記チップは第２引出部材に対して着脱可能に内周面に雌ねじ山が形成された別物からなり、前記第２引出部材の先端部側には前記雌ねじ山と締結される雄ねじ山が形成されたチップ締結端が備えられることができる。
【００１９】
また、本発明のシャープペンシルで、前記芯タンクの内周面にはシャープ芯に加えられる衝撃を緩和する緩衝部材がさらに備えられることができる。
【発明の効果】
【００２０】
本発明のシャープペンシルは、使用しない場合にチップを回転取っ手の内側に引込させて保護することができるので、外部の衝撃によるチップの変形または破損が防止できる効果がある。
【００２１】
また、本発明のシャープペンシルはチップの取替が可能であるので、１つのシャープペンシルに多様な直径のシャープ芯を共通的に使用することができ、これによって、細い文字または太い文字など、ユーザが希望する太さに筆記パターンを変更することが容易になる効果がある。
【図面の簡単な説明】
【００２２】
【図１】本発明に従うシャープペンシルの実施形態を作動順に示す斜視図である。
【図２】本発明の実施形態における回転取っ手とこれに結合された構成要素に対する部分断面の分解斜視図である。
【図３】本発明の実施形態におけるチップの引出し前の形態を示す断面図である。
【図４】図３の状態から第１引出部材が引出された形態を示す断面図である。
【図５】図４の状態からチップが引出された形態を示す断面図である。
【発明を実施するための形態】
【００２３】
以下、添付した図面を参照して本発明の好ましい実施形態を詳細に説明する。しかしながら、以下の実施形態はこの技術分野で通常の知識を有する者に本発明が十分に理解されるようにするために例示するものであって、種々の形態に変形されることができ、本発明の範囲が以下に記述される実施形態に限定されるものではない。
【００２４】
図１は本発明に従うシャープペンシルの実施形態を作動順に示す斜視図であり、図２は本発明の実施形態における回転取っ手とこれに結合された構成要素に対する部分断面の分解斜視図であり、図３〜図５は各々本発明の実施形態におけるチップが引出される形態を順次に示す断面図である。
【００２５】
図１に示すように、本発明のシャープペンシルは先端部のチップ１００を保護するために、本体１０の先端部に装着された回転取っ手２０の内側にチップ１００が引き込まれた状態で回転取っ手２０を回転させることにより、引出される構造を有することに特徴がある。本発明の各構成要素別に具体的に説明すれば、次の通りである。
【００２６】
まず、前記本体１０は通常的なシャープペンシルと同様に、シャープ芯引出し用押えボタン１１が結合された円筒形の構造となっている。参考に、本明細書ではチップ１００が位置する側を本体１０の‘先端部’と称し、押えボタン１１が結合された側を本体１０の‘後端部’と称することにし、以下の説明で言及される他の構成要素に対しても‘先端部’と‘後端部’は本体１０の場合と同一な側の部位として定義する。
【００２７】
本体１０の先端部には円筒形の回転取っ手２０が結合されいるが、この回転取っ手２０は図３〜図５から見ることができるように、回転結合部Ｊにより本体１０を相対にその場で回転できるようになっている。回転結合部Ｊは本体１０と回転取っ手２０の対向する部位に円周面に沿って形成される通常的な凹凸挟持構造となっている。回転取っ手２０の表面材質は手で握る時、スリップが起こらないようにすると共に、安らかなグリップ感を有するようにするためにゴムのような弾性素材で構成することが好ましい。このような回転取っ手２０の内周面には図２〜図５に示すように第１螺旋溝２１が形成された特徴がある。
【００２８】
本体１０の内にはシャープ芯を内蔵する芯タンク３０が挿入されているが、特に本実施形態では芯タンク３０の内周面に緩衝部材３１が備えられている。これによって、芯タンク３０に内蔵されたシャープ芯に加えられる衝撃を緩和して外部衝撃によりシャープ芯が折れる現象が防止できるようになる。緩衝部材３１にはスポンジやスチロフォームのような多孔性素材、またはゴムのような弾性体が適用できる。
【００２９】
芯タンク３０の先端部には芯タンク３０からシャープ芯が供給されるシャープ芯供給通路４１を備えたスライダー４０が芯タンク３０に密着した状態で装着されている。そして、スライダー４０の先端部には芯タンク３０の先端部を相対にスプリング５０により弾性的に支持されるスリーブ６０が装着されている。スライダー４０の先端部はスリーブ６０に部分的に挿入されながら後端部が芯タンク３０の先端部に密着することによって、押えボタン１１の押え操作に従う芯タンク３０の押圧時、スリーブ６０に沿って直線移動するようになる。
【００３０】
スリーブ６０の内には挟持チャック７０が設置されているが、この挟持チャック７０は芯タンク３０からスライダー４０のシャープ芯供給通路４１を通じて供給されたシャープ芯Ｌを挟持するようになる。
【００３１】
一方、回転取っ手２０の内には円筒形の第１引出部材８０が装着されているが、第１引出部材８０の後端部の外周面には第１突出部８１が形成されているので、回転取っ手２０の第１螺旋溝２１に挿入される。そして、第１引出部材８０の内周面には回転取っ手２０の第１螺旋溝２１と同一な方向の第２螺旋溝８２が形成されている。
【００３２】
第１引出部材８０の内には第２引出部材９０が挿入されているが、第２引出部材９０の後端部の外周面にも第２突出部９１が形成されているので、この第２突出部９１が第１引出部材８０の第２螺旋溝８２に挿入される。
【００３３】
そして、第２引出部材９０の先端部にはシャープ芯Ｌの先端を支持するチップ１００が備えられている。ここで、第２引出部材９０の後端部からチップ１００の先端部に至る長さは、第１引出部材８０の後端部から先端部に至る長さと等しいか小さく形成されることが好ましい。それでこそ第２引出部材９０が第１引出部材８０の内部に完全に挿入された状態でチップ１００も第２引出部材９０と共に第１引出部材８０の内部に位置するようになって安全に保護できる。特に、本実施形態では第２引出部材９０の先端部側に雄ねじ山が形成されたチップ締結端９２が突出しており、チップ１００は第２引出部材９０とは独立した別物からなり、かつチップ１００の後端部の内周面にはチップ締結端９２の雄ねじ山と噛合される雌ねじ山が形成されることによって、チップ１００が第２引出部材９０を相対に着脱可能になる。
【００３４】
そして、チップ１００の内周面にはゴムのような材質からなる弾性支持部材１１０が付着されているが、この弾性支持部材１１０には押えボタン１１の押え操作により供給されたシャープ芯Ｌが挿入された状態で支持される。特に、シャープ芯Ｌが弾性支持部材１１０に挿入された状態ではシャープ芯Ｌが挟持チャック７０から第２引出部材９０を繋ぐ軸として作用することによって、第１引出部材８０と第２引出部材９０が挟持チャック７０側に支持される効果を表すようになる。本発明で使われる弾性支持部材１１０は芯タンク３０から供給されたシャープ芯Ｌを弾性的に挟持している状態で第１引出部材８０と第２引出部材９０が引出される時、その引出方向に沿って芯タンク３０まで移動させる程度の支持力を発揮する一方、押えボタン１１の押え操作に従うシャープ芯Ｌの供給時、シャープ芯Ｌが損傷されず、弾性支持部材１１０が通過できる程度の弾性力を発揮するようになる。
【００３５】
次に、前記のように構成された本発明の実施形態に従うシャープペンシルの作動について説明する。
まず、本発明のシャープペンシルを使用する前には、図３に示すように、回転取っ手２０の内部に第１引出部材８０が最内側に挿入された状態にあるようになる。即ち、第１引出部材８０の後端部の外周面に形成された第１突出部８１が、回転取っ手２０の内周面に形成された第１螺旋溝２１の後端部側に位置する状態にあるものである。
【００３６】
また、第１引出部材８０の内部には第２引出部材９０が最内側に挿入された状態にあるようになる。即ち、第２引出部材９０の後端部の外周面に形成された第２突出部９１が、第１引出部材８０の内周面に形成された第２螺旋溝８２の後端部側に位置するようになる。これに併せて、第２引出部材９０の先端部に装着されたチップ１００も第１引出部材８０の内部に完全に挿入された状態にあるようになる。
【００３７】
前記のような状態で、シャープペンシルの使用者が本体１０の後端部に位置した押えボタン１１を押さえて芯タンク３０の内に内蔵されたシャープ芯Ｌをスライダー４０と挟持チャック７０を経由してチップ１００の内側に位置した弾性支持部材１１０まで供給するか、チップ１００の出口まで供給するようにする。すると、第１引出部材８０と第２引出部材９０がシャープ芯Ｌを支持軸にして挟持チャック７０に支持される結果となる。挟持チャック７０はスライダー４０と芯タンク３０側に連結されているので、結局、第１引出部材８０と第２引出部材９０はシャープ芯Ｌを媒介に芯タンク３０により支持されるものである。
【００３８】
以後、回転取っ手２０を正方向に回転させれば、第１引出部材８０は第２引出部材９０と一緒にシャープ芯Ｌを媒介に芯タンク３０側に支持されているので、第１引出部材８０の第１突出部８１が回転取っ手２０の第１螺旋溝２１の後端部から先端部に移動するようになり、これによって第１引出部材８０が回転取っ手２０から引出される。この際、第２引出部材９０が第１引出部材８０の内部に挿入されているので、第２引出部材９０は第１引出部材８０の内に挿入された状態そのままに第１引出部材８０と一緒に回転取っ手２０から引出される。
【００３９】
これと反対に、回転取っ手２０を逆方向に回転させれば、第１引出部材８０の第１突出部８１は回転取っ手２０の第１螺旋溝２１の先端部から後端部に移動するようになることで、第１引出部材８０は回転取っ手２０の内にまた引き込まれる。この時も同様に第２引出部材９０は第１引出部材８０と一緒に回転取っ手２０の内に引き込まれる。
【００４０】
一方、第１引出部材８０が回転取っ手２０から完全に引出された状態（ここで、‘完全に引出された状態’ということは、第１引出部材８０が回転取っ手２０から離脱することを意味することでなく、予め設計された最終位置に引出された状態を意味する）では、第１突出部８１が第１螺旋溝２１の先端部に位置するようになることによって、これ以上の移動を止める代わり、回転取っ手２０と一緒に回転するようになる。
【００４１】
したがって、第１引出部材８０が回転取っ手２０から最終位置まで引出された状態で回転取っ手２０を続けて正方向に回転させれば、第１引出部材８０の内部に挿入されていた第２引出部材９０の第２突出部９１が第１引出部材８０の第２螺旋溝８２の後端部から先端部に移動するようになることによって、第２引出部材９０が第１引出部材８０から引出される。この際、第２引出部材９０の先端部に位置したチップ１００も第２引出部材９０と一体に移動して第１引出部材８０から引出される。
【００４２】
これと反対に、第１引出部材８０が回転取っ手２０の内に完全に引き込まれた状態で回転取っ手２０を逆方向に回転させれば、第１引出部材８０が回転取っ手２０と一緒に逆方向に回転するようになり、これによって第２引出部材９０の第２突出部９１が第１引出部材８０の第２螺旋溝８２の先端部から後端部に移動するようになることによって、第２引出部材９０とチップ１００は第１引出部材８０の内に引き込まれる。
【００４３】
以上、説明したように、本発明のシャープペンシルではシャープ芯Ｌがチップ１００の弾性支持部材１１０まで供給されれば、この弾性支持部材１１０がシャープ芯Ｌを弾性的に挟持するようになると共に、第１引出部材８０と第２引出部材９０がシャープ芯Ｌを支持軸にして挟持チャック７０〜芯タンク３０に支持される。そして、回転取っ手２０を正方向または逆方向に回転させれば、第１引出部材８０と第２引出部材９０及びこの第２引出部材９０に結合されいるチップ１００が回転取っ手２０を相対に引出または引き込まれる。したがって、本発明のシャープペンシルは、使用しない場合にチップ１００を回転取っ手２０の内側に引込させて保護することができるので、外部の衝撃によるチップ１００の変形または破損を防止することができる。
【００４４】
一方、本発明のシャープペンシルではチップ１００を第２引出部材９０を相対に着脱可能な構造となっている。即ち、前述したように、第２引出部材９０の先端部側に雄ねじ山が形成されたチップ締結端９２が突出しており、チップ１００は第２引出部材９０とは独立した別物からなり、かつチップ１００の後端部の内周面にはチップ締結端９２の雄ねじ山と噛合される雌ねじ山が形成されることによって、チップ１００が第２引出部材９０を相対に着脱可能になる。したがって、図２に示すように、０．３ｍｍ、０．５ｍｍ、０．７ｍｍなど、多様な直径のシャープ芯に各々対応する内径を有するチップ１００、１００’、１００”を別に備えて第２引出部材９０のチップ締結端９２に取替適用すれば、１つのシャープペンシルで多様な直径のシャープ芯Ｌを共通的に使用することができる長所がある。
【００４５】
以上、本発明を好ましい実施形態に基づいて説明したが、本発明は前記実施形態に限定されるものではなく、本発明の技術的思想の範囲内でこの技術分野で通常の知識を有する者によりさまざまな変形が可能である。
【符号の説明】
【００４６】
１０    本体
１１    押えボタン
２０    回転取っ手
２１    第１螺旋溝
３０    芯タンク
３１    緩衝部材
４０    スライダー
４１    シャープ芯供給通路
５０    スプリング
６０    スリーブ
７０    挟持チャック
８０    第１引出部材
８１    第１突出部
８２    第２螺旋溝
９０    第２引出部材
９１    第２突出部
９２    チップ締結端
１００    チップ
１１０    弾性支持部材
Ｊ    回転結合部
Ｌ    シャープ芯
【要約】
本発明は、シャープペンシルの先端に備えられるチップを安全に保護することができ、０．３ｍｍ、０．５ｍｍ、０．７ｍｍなど、多様な直径のシャープ芯を共通的に使用することができるように改善されたシャープペンシルに関するものである。本発明のシャープペンシルでは、シャープ芯がチップの弾性支持部材まで供給されれば、この弾性支持部材がシャープ芯を弾性的に挟持するようになると共に、第１引出部材と第２引出部材がシャープ芯を支持軸にして挟持チャック〜芯タンクに支持される。そして、回転取っ手を正方向または逆方向に回転させれば、第１引出部材と第２引出部材及びこの第２引出部材に結合されているチップが回転取っ手を相対に引出または引き込まれる。したがって、本発明のシャープペンシルは、使用しない場合に、チップを回転取っ手の内側に引込させて保護することができるので、外部の衝撃によるチップの変形または破損を防止することができる。また、本発明のシャープペンシルではチップの取替が可能であるので、１つのシャープペンシルに多様な直径のシャープ芯を共通的に使用することができる長所がある。
【選択図】図５【図１】
0005396680.tif 000002
【図２】
0005396680.tif 000003
【図３】
0005396680.tif 000004
【図４】
0005396680.tif 000005
【図５】
0005396680.tif 000006